(57)【特許請求の範囲】
【請求項１】
相互に対向位置にある液晶表示素子と電源側配線基板とを彎曲部が形成された可撓配線基板により接続し、前記電源側配線基板にバックライトの光源およびこの光源からの光を前記可撓配線基板方向に導く導光板を搭載してなるバックライト一体型液晶表示装置において、
前記可撓配線基板の彎曲部に可撓配線基板の両側縁から突出し前記導光板の端面の長手方向における両端部を被覆する被覆突縁を突設したことを特徴とするバックライト一体型液晶表示装置。
【請求項２】
前記可撓配線基板の表面の少なくとも前記導光板の端面に対向する部分に白色の反射層が設けられていることを特徴とする請求項１に記載のバックライト一体型液晶表示装置。
【発明の詳細な説明】
【０００１】
【発明の属する技術分野】
本発明は、液晶表示素子の電極端子部に形成された複数のリード端子を可撓配線基板を介して電源側配線基板と接続するようにした液晶表示装置に係り、特に、液晶表示素子および電源側配線基板間にバックライトを配設したバックライト一体型液晶表示装置の改良に関する。
【０００２】
【従来の技術】
まず、この種のバックライト一体型液晶表示装置における一般的な液晶表示素子の一例を図２により説明する。
【０００３】
図２は、カラーフィルタ方式のカラー液晶表示素子を示すものであり、間隔を隔ててほぼ平行に配置された２枚のガラスのような材質からなる透明基板１Ａ，１Ｂを有しており、これらの両透明基板１Ａ，１Ｂ間の外周はシール材２により密閉されている。このうち、上方に位置する一方の透明基板１Ａの下面には、透明共通電極３Ａが密着するように配設されており、また、この透明共通電極３Ａの下方には、非表示領域を覆うように遮光膜４が配置されている。
【０００４】
また、前記遮光膜４の下方には、電極間に印加される電圧に応じて液晶分子の配向を制御する配向膜６Ａが密着するように配設されている。さらに、前記ガラス基板１Ａの上面には偏光板７Ａが配設されている。
【０００５】
一方、下方に位置する前記透明基板１Ｂの上面には、透明セグメント電極３Ｂが配置されており、この透明セグメント電極３Ｂの上方にはカラーフィルタ膜５が配置されている。このカラーフィルタ膜５の形成法としては、印刷法、電着法、染色法、顔料分散法など各種の方法が従来から知られている。また、このカラーフィルタ膜５の上方には配向膜６Ｂが密着するように配設されている。さらに、前記透明基板１Ｂの下面には偏光板７Ｂが配設されている。
【０００６】
そして、前記両透明基板１Ａ，１Ｂおよびシール材２により囲繞された密閉空間内には液晶８が封入されており、さらに、両透明基板１Ａ，１Ｂ間の間隔を正確に一定に保持するため、前記両配向膜６Ａ，６Ｂ間には複数の球状あるいは柱状のスペーサ９が介装されている。
【０００７】
なお、前記透明基板１Ｂの上面の透明セグメント電極３Ｂは、前記シール材２などに含有されている導電性部材（図示せず）などを介して前記透明基板１Ａの下面上に導出されており、この透明基板１Ａの下面の図３における右端部には、各電極３Ａ，３Ｂの各リード端子３Ｃが形成されている。
【０００８】
一方、図４に示す可撓配線基板１１のベースフィルム１２上には電気回路１３が形成されており、この電気回路１３の端部に形成されているリード端子１３Ａに前記各電極３Ａ，３Ｂの各リード端子３Ｃが接続されている。また、前記可撓配線基板１１の電気回路１３には、前記液晶表示素子の制御を行うＬＳＩ１４が搭載されている。そして、この可撓配線基板１１は、液晶表示装置の平面積を減少するため、彎曲部１５を形成されたうえで、図３に示すように前記液晶表示素子１０の下方にまで延在しており、液晶表示素子１０の下方に位置している剛性を有する電源側配線基板１６とリード端子を介して接続されている。また、この電源側配線基板１６と前記液晶表示素子１０とは相互に対向する位置をとっている。
【０００９】
ところで、バックライト一体型液晶表示装置においては、前記液晶表示素子１０と対向する電源側配線基板１６の上面１７Ａにほぼ長方形状とされたアクリルなどの材料からなる導光板１８が接着あるいはかしめなどにより搭載されており、この導光板１８の前記可撓配線基板１１が対向する端面１９Ａと反対側の端面１９Ｂの側方には、発光ダイオード、蛍光ランプなどのバックライトの光源２０が前記電源側配線基板１６に図示しない支持部材を介して支持されている。また、前記光源２０の背部には、光源２０からの光の拡散を防止して、導光板１８の端面１９Ｂの方向に収束するためのほぼ円筒形状の反射板２１が前記電源側配線基板１６に支持されて配設されている。したがって、前記光源２０からの光は導光板１８内を前記可撓配線基板１１の方向に進むことになる。
【００１０】
【発明が解決しようとする課題】
ところで、一般に、前記可撓配線基板１１の幅は、前記導光板１７の端面１９Ａの幅より狭いため、前述した光源２０から導光板１８内を前記可撓配線基板１１の方向に進んだ光の一部は、可撓配線基板１１の端面１９Ａの長手方向における両端部から外部に抜けてしまうことになっていた。このため、光源２０からの光が液晶表示素子１０のバックライトとして十分に機能できず、液晶表示素子１０の表示が見にくくなるおそれがあった。
【００１１】
そこで、従来は、前記導光板１８の端面１９Ａに光漏れ防止用テープ２２を接着して光の漏洩を防止していたが、このような構成とすると、光漏れ防止用テープ２２を接着する工程が増し、液晶表示装置の生産効率が悪化するとともに、液晶表示装置のコストが高価となるおそれがあった。
【００１２】
本発明はこのような問題点に鑑みてなされたものであり、バックライトの光漏れを防止することによって光源からの光をバックライトとして適正に機能させることができ、これによって良好な液晶表示を実現することができるバックライト一体型液晶表示装置を提供することを目的とするものである。
【００１３】
【課題を解決するための手段】
前記目的を達成するため本発明の請求項１に係るバックライト一体型液晶表示装置の特徴は、可撓配線基板の彎曲部に可撓配線基板の両側縁から突出し前記導光板の端面の長手方向における両端部を被覆する被覆突縁を突設した点にある。
【００１４】
そして、このような構成を採用したことにより、導光板の端面よりも幅方向が大きく形成された被覆突縁によって前記導光板の端面を被覆することができるため、前記導光板の端面から光が装置外部へ漏洩することを適正に防止することができるとともに、このような光漏れの防止を前記被覆突縁からなる簡易な構成によって行うことができる。
【００１５】
請求項２に係るバックライト一体型液晶表示装置の特徴は、請求項１において、前記可撓配線基板の表面の少なくとも前記導光板の端面に対向する部分に白色の反射層が設けられている点にある。
【００１６】
そして、このような構成を採用したことにより、光の反射率が大きな白色の反射層によって、導光板端面から可撓配線基板側に漏れた光を液晶表示素子側に反射させ、液晶表示のために再利用することができるため、より多くの光を液晶表示素子の表示領域に集光させてさらに鮮明で良好な液晶表示を実現することができる。
【００１７】
【発明の実施の形態】
図１は、本発明に係る液晶表示装置の可撓配線基板の実施形態を示すものである。なお、前述した従来のものと同一ないし相当する構成については、図面中に同一の符号を付して説明する。
【００１８】
本実施形態の可撓配線基板１１Ａは、図５において前述した従来の可撓配線基板１１とほぼ同様の構成とされており、従来の可撓配線基板１１と異なる点についてのみ説明する。
【００１９】
前記可撓配線基板１１Ａの彎曲部１５は、厳密には、可撓配線基板１１Ａの長手方向に間隔を隔てて形成されており実際に小さく彎曲している２箇所の彎曲部１５Ａ，１５Ｂとこれらの両彎曲部１５Ａ，１５Ｂ間に形成されている平面部１５Ｃとにより構成されている。
【００２０】
そして、本実施形態における可撓性配線基板１１Ａは、前記彎曲部１５Ａ，１５Ｂの、図１における左右方向となる幅方向の両側縁２４Ａ，２４Ｂに、前記導光板１８の端面１９Ａを被覆するための被覆突縁２３を有している。
【００２１】
前述したように、従来の可撓配線基板１１は、幅方向の全寸法が、前記導光板１８の幅、すなわち端面１９Ａの幅より狭く形成されていたため、光源２０から導光板１８内を前記可撓配線基板１１の方向に進んだ光の一部が、端面１９Ａの両端部から装置外部に抜けてしまうことになっていた。
【００２２】
これに対して、本実施形態における可撓配線基板１１Ａは、前記被覆突縁２３の形成された部位の幅寸法が前記導光板の端面１９Ａの幅寸法よりも大きく形成されている。
【００２３】
従って、前記被覆突縁２３によって前記導光板１８の端面１９Ａを、幅方向の長手方向における両端部に至るまで適正に被覆することができるため、この端面１９Ａから光が装置外部に抜けるのを防止することができるようになっている。
【００２４】
さらに、前記可撓配線基板１１Ａに前記被覆突縁２３を形成するだけでよいため、前記導光板１８の端面１９Ａを光漏れ防止用テープ２２で覆う場合よりも製造工数を低減することができる。
【００２５】
そして、本実施形態においては、前記導光板１８の端面１９Ａから可撓配線基板１１Ａ側に漏れた光を液晶表示に再利用するため、可撓配線基板１１Ａの表面の少なくとも前記導光板１８の端面１９Ａに対向する部分に白色の反射層を設けている。
【００２６】
すなわち、一般に、白色は光の反射率が大きいため、前記反射層を白色にすることによって、前記導光板１８の端面１９Ａに到達した光を導光板１８側に良好に反射することができる。
【００２７】
従って、バックライトの光を液晶表示のために再利用することができるため、バックライトをさらに有効に機能させることができるようになっている。
【００２８】
可撓配線基板１１Ａの電極回路１３が形成された面が導光板１８の端面１９Ａに対向するような場合には、電極回路１３を保護するレジストを白色とし、それを被覆突縁２３の所定の部分まで塗布することで反射層を兼ねさせることもできる。
【００２９】
次に、本実施形態の作用について説明する。
【００３０】
本実施形態において液晶表示を行うには、まず、光源２０を点灯させると、この光源２０から放出された光は、前記反射板２１によって導光板１８側に反射され、この導光板１８内を全反射を繰り返しながら可撓配線基板１１Ａ側に進行する。
【００３１】
そして、前記導光板１８内を進行する光は、前記導光板１８の上部近傍に位置された前記液晶表示素子１０側に、直接あるいは図示しない拡散板を介して拡散され、これによって液晶表示素子１０の表示領域に平面光が照射される。
【００３２】
このとき、前記導光板１８内を進行する光の一部が、全反射されずに前記電極側配線基板１６側に漏れてしまうことを防止するために、導光板１８の反液晶表示素子１０側には反射層（図示せず）が設けられている。
【００３３】
しかしながら、前記導光板１８内を進行する光の一部は、前記可撓配線基板１１Ａの端面１９Ａに進行し、この端面１９Ａから導光板１８外部に漏洩しようとする。
【００３４】
このとき、前記可撓配線基板１１Ａの彎曲部１５Ａ，１５Ｂには、前記端面１９Ａよりも幅方向が大きな被覆突縁２３が形成されているため、前記端面１９Ａは、前記被覆突縁２３によって幅方向の長手方向における両端部に至るまで被覆された状態になっている。
【００３５】
このため、前記端面１９Ａから出ようとした光を前記被覆突縁２３によって遮光することができるため、光が装置外部に漏洩するのを防止することができる。
【００３６】
これにより、光源２０からの光をバックライトとして適正に機能させることができるため、良好な液晶表示を行うことができる。
【００３７】
以上のように、本実施形態によれば、被覆突縁２３によって導光板１８の端面１９Ａの両端部から光が装置外部に漏洩することを防止することができるため、光源２０からの光をバックライトとして適正に機能させることができ、良好な液晶表示を行うことができる。
【００３８】
また、可撓配線基板１１Ａに被覆突縁２３を形成するだけでよいため、製造工数を低減しつつバックライトの光漏れを適正に防止することができる。
【００３９】
さらに、前記可撓配線基板１１Ａの表面の少なくとも前記導光板１８の端面１９Ａに対向する部分に白色の反射層を設けることにより、前記導光板１８の端面１９Ａから可撓配線基板１１Ａ側に漏れた光を液晶表示のために再利用することができるため、液晶表示素子１０の表示領域により多くの光を集光することができ、これによってより鮮明で良好な液晶表示を行うことができる。
【００４０】
なお、本発明は、前述した実施形態に限定されるものではなく、必要に応じて種々の変更が可能である。
【００４１】
【発明の効果】
以上説明したように、本発明の請求項１に係るバックライト一体型液晶表示装置によれば、簡易な構成からなる被覆突縁によってバックライトの光漏れを適正に防止することができるため、液晶表示装置の製造工数を低減しつつ良好な液晶表示を実現することができる。
【００４２】
請求項２に係るバックライト一体型液晶表示装置によれば、反射率の大きな白色のレジストによって導光板の端面から可撓配線基板側に漏れた光を導光板側に良好に反射することができるため、より多くの光を液晶表示素子の表示領域に集光させてより鮮明で良好な液晶表示を実現することができる。
【図面の簡単な説明】
【図１】  本発明に係るバックライト一体型液晶表示装置の実施形態において可撓配線基板を示す平面図
【図２】  一般的な液晶表示素子の一例を示す縦断面図
【図３】  従来の液晶表示装置の概略を示す正面図
【図４】  従来の可撓配線基板を示す平面図
【符号の説明】
１Ａ，１Ｂ  透明基板
２  シール材
３Ａ  透明共通電極
３Ｂ  透明セグメント電極
３Ｃ  リード端子
８  液晶
９  スペーサ
１０  液晶表示素子
１１，１１Ａ  可撓配線基板
１２  ベースフィルム
１３  電気回路
１５，１５Ａ，１５Ｂ  彎曲部
１５Ｃ  平面部
１６  電極側配線基板
１８  導光板
１９Ａ，１９Ｂ  端面
２０  光源
２１  反射板
２３  被覆突縁
２４Ａ，２４Ｂ  両端縁
【図１】
0004515599.tif 000002
【図２】
0004515599.tif 000003
【図３】
0004515599.tif 000004
【図４】
0004515599.tif 000005